(57)【要約】【課題】  複数の赤外線発光ダイオードを備えたリモコン装置であって、操作部の操作の有無に応じて発光する赤外線発光ダイオードの個数を制御して消費電力を抑えるリモコン装置複数の赤外線発光ダイオードを備えたリモコン装置を提供するものである。【解決手段】  そこで、本発明は、操作部と、複数の赤外線発光部とを備えるリモコン装置であって、リモコン装置は、複数の赤外線発光部のうち予め決められた赤外線発光部だけを発光させる限定発光モードと、複数の赤外線発光部のうちすべての赤外線発光部を発光させる全発光モードを備えるリモコン装置を提供する。【選択図】図３
2017063358.tif 000002
【特許請求の範囲】
【請求項１】
操作部と、複数の赤外線発光部とを備えるリモコン装置であって、
前記リモコン装置は、
前記複数の赤外線発光部のうち予め決められた赤外線発光部だけを発光させる限定発光モードと、
前記複数の赤外線発光部のうちすべての赤外線発光部を発光させる全発光モードを備えることを特徴とするリモコン装置。
【請求項２】
請求項１に記載のリモコン装置であって、
前記リモコン装置は、
前記操作部が操作された場合は、前記限定発光モードで発光し、
前記操作部の操作によらず前記赤外線発光部が発光する場合は、前記全発光モードで発光することを特徴とするリモコン装置。
【請求項３】
請求項１または２に記載のリモコン装置を備えたことを特徴とする空気調和機。
【発明の詳細な説明】
【技術分野】
【０００１】
本発明は電気機器を遠隔操作する赤外線方式のリモコン装置およびこれを備えた空気調和機に関する。
【背景技術】
【０００２】
空気調和機のような電気機器を遠隔操作する赤外線方式のリモコン装置として、室温センサを内蔵しリモコン装置周囲の室温などのデータを定期的に空気調和機の本体に自動送信するものがある。この室温などのデータを基に空気調和機本体は空調運転を行う。しかし、リモコン装置が室温などのデータを自動送信する時、リモコン装置の赤外線発光部が空気調和機の本体の赤外線受光部に向けられていないと、空気調和機の本体はデータを受信できないおそれがある。
【０００３】
そこで、この問題を解決する方法として、赤外線発光ダイオードを複数個設けることで、赤外線の放射領域を拡くするものが知られている。（例えば、特許文献１参照。）
【先行技術文献】
【特許文献】
【０００４】
【特許文献１】特開２００５−１５１４９６号公報
【発明の概要】
【発明が解決しようとする課題】
【０００５】
しかし、特許文献１のように、赤外線発光ダイオードを常に複数個発光させると消費電力が大きくなり、リモコン装置の電池の寿命が短くなっていた。
【課題を解決するための手段】
【０００６】
そこで、本発明は、操作部と、複数の赤外線発光部とを備えるリモコン装置であって、リモコン装置は、複数の赤外線発光部のうち予め決められた赤外線発光部だけを発光させる限定発光モードと、複数の赤外線発光部のうちすべての赤外線発光部を発光させる全発光モードを備えるリモコン装置を提供する。
【０００７】
また、リモコン装置は、操作部が操作された場合は、限定発光モードで発光し、操作部の操作によらず赤外線発光部が発光する場合は、全発光モードで発光するリモコン装置を提供する。
【０００８】
また、このリモコン装置を備えた空気調和機を提供する。
【発明の効果】
【０００９】
以上のような本発明の複数の赤外線発光ダイオードを備えたリモコン装置によれば、操作部の操作によって赤外線発光ダイオードの発光する個数を全て発光させるのではなく、個数を絞って発光させることで、消費電力を抑えることができる。
【図面の簡単な説明】
【００１０】
【図１】本実施形態の空気調和機の空気調和機本体とリモコン装置との関係を示す概略図である。
【図２】本実施形態のリモコン装置の詳細を示した外観図である。
【図３】本実施形態のリモコン装置の上部側面を示した上部側面図である。
【図４】本実施形態の空気調和機の概略構成を示したブロック図である。
【発明を実施するための形態】
【００１１】
以下に、本発明にかかる空気調和機の実施例を図面に基づいて詳細に説明する。なお、この実施例によりこの発明が限定されるものではない。
【００１２】
まず、本発明の一実施例にかかる空気調和機の空気調和機本体とリモコン装置との関係を示す概略構成について説明する。図１に示すように、本発明に係る空気調和機は、部屋に配置された空気調和機本体（以下、エアコン）１２と、図示しない室外機と、リモコン装置１４とで構成される。
【００１３】
このエアコン１２にリモコン装置からの赤外線を受光する受光部を搭載し、リモコン装置に赤外線を発光する赤外線発光ダイオードを搭載して、例えば、リモコン装置１４からエアコン１２に対して遠隔操作や各種設定を行うことができる。また、リモコン装置１４は、エアコン１２に指示した運転情報を記憶する図示しない記憶部と、それを表示する図４に示す表示部１６とを有している。リモコン装置１４は、エアコン１２の運転状態を示す状態情報を図示しない記憶部に記憶すると共に、表示部１６に表示させ、運転管理や各種設定に利用する。運転状態を示す状態情報には、冷房や暖房といった運転モードの他に、設定温度、風向や風量等の情報がある。
【００１４】
リモコン装置１４の上面には、図２に示すように、運転情報や設定情報などをドットマトリクスで表示するＬＣＤ（液晶ディスプレイ）または有機ＥＬ（有機エレクトロルミネッセンス）の表示部１６と、各種の運転操作を行うための操作部４４と、リモコン装置１４の周囲の温度を検知する室温センサ５０などが配置されている。操作部４４には、図示しないが運転情報を選択するためのメニュー画面の項目を選択する時に用いる十字ボタン１８、選択した内容を決定する決定ボタン２０、運転開始と運転停止を行う運転／停止ボタン２６、上下の矢印ボタン（アップボタン２８ａとダウンボタン２８ｂ）で設定温度を調節する温度ボタン２８、風量の調整を選択する画面に切り替える風量ボタン３０、現在の室温などの運転情報を表示部１６に表示させるお知らせボタン３２、冷房運転モードを選択する冷房ボタン３４、暖房運転モードを選択する暖房ボタン３６、除湿運転モードを選択する除湿ボタン３８と、送風運転モードを選択する送風ボタン４０を備えている。
【００１５】
リモコン装置１４の上部側面には、図３に示すように、複数の赤外線発光部として赤外線発光ダイオードが二つ配置されている。なお、本実施形態ではリモコン装置１４の上部側面に二つの赤外線発光ダイオード１９１、１９２を配置しているが本発明はこれに限定しておらず、リモコン装置１４の上部側面に赤外線発光ダイオード１９１、リモコン装置１４の上面に赤外線発光ダイオード１９２を配置するなど、適宜赤外線発光ダイオードの配置を変更してもよい。
【００１６】
エアコン１２は、図４に示すように、リモコン装置１４の赤外線発光ダイオード１９１、１９２から放射された赤外線を受光する赤外線受光部８６、ＬＥＤ表示部８０、時間管理を行う計時専用のＲＴＣ（リアル・タイム・クロック）８８、およびこれらを制御するエアコン制御部８４を有している。このエアコン制御部８４は、受信したリモコン装置１４からの運転操作に関する設定変更データに基づいてエアコン１２の各部を制御すると共に、エアコン１２の現在の運転情報のデータを保持する図示しない本体記憶部を含んでいる。なお、エアコン１２を構成する熱交換器や送風ファンなどは本発明と直接関係しないため、図示と説明を省略している。
【００１７】
ＬＥＤ表示部８０は、エアコン１２の運転ＯＮ／ＯＦＦなどの運転状態を示すもので、エアコン制御部８４で制御される。
【００１８】
一方、リモコン装置１４は、図４に示すように、エアコン１２の赤外線受光部８６へ赤外線を発光する複数の赤外線発光部（赤外線発光ダイオード１９１、１９２）、エアコンの運転状態を示す状態情報（運転モード、設定温度、時刻等）を表示する表示部１６、使用者がエアコン１２を運転操作する操作部４４、時間管理を行う計時専用のＲＴＣ（リアル・タイム・クロック）９８、およびこれらを制御するリモコン制御部９６を有している。なお、本実施形態では、リモコン装置１４の操作部４４によって操作が行われてから、ＲＴＣ９８で計時して一定時間後（例えば、３０秒後）に消費電力を抑えるために表示部１６の表示を消すことで、使用する電池の消耗を防ぎ、電池の長寿命化を図っている。リモコン装置１４がエアコン１２との間で通信を再開するには、リモコン装置１４の表示部１６の表示が消えた状態で操作部４４が操作されると、リモコン制御部９６は、ボタン操作をトリガーとして表示部１６の表示を点けると共に、操作部４４の操作に応じた赤外線信号を発光する。
【００１９】
また、リモコン装置１４には、二つの赤外線発光ダイオード１９１、１９２のうち赤外線発光ダイオード１９１だけが発光する限定発光モードと、二つの赤外線発光ダイオード１９１、１９２の両方が発光する全発光モードの二つの発光モードがあり、この二つの発光モードをリモコン制御部９６は操作部４４の操作の有無に応じて切り替える。使用者がリモコン装置１４を操作する時、リモコン装置１４をエアコン１２に向けて操作部４４を操作するので、発光する赤外線発光ダイオード１９１が一個でもエアコン１２の操作が可能なために、限定発光モードで発光する。一方、操作部４４の操作によらず赤外線発光ダイオード１９１、１９２を発光させる場合、リモコン装置１４にある赤外線発光ダイオード１９１、１９２がエアコン１２の方向に向いていないおそれがあるため、赤外線発光ダイオード１９１、１９２が発光した赤外線を壁などに反射させてエアコン１２に赤外線を届かせる必要があるので、光量が多い全発光モードで発光する。
【００２０】
本実施形態に係る空気調和機は、以上のように構成され、リモコン装置１４の動作について以下に説明する。
【００２１】
初めに、限定発光モードの動作について説明する。使用者がリモコン装置１４にある操作部４４を操作した場合、リモコン装置１４は発光モードを限定発光モードに切り替える。例えば、使用者が設定温度を高くする場合、リモコン装置１４をエアコン１２に向けて温度ボタン２８のアップボタン２８ａを押す。アップボタン２８ａを押されたリモコン装置１４のリモコン制御部９６は押された温度ボタン２８のアップボタン２８ａに対応した設定温度を上げるための赤外線信号を、限定発光モードにより赤外線発光ダイオード１９１だけを発光するよう制御する。赤外線発光ダイオード１９１が発光した赤外線信号を、エアコン１２の赤外線受光部８６が受光する。赤外線受光部８６は受光した赤外線信号を電気信号に変換し、変換された電気信号に基づいてエアコン制御部８４が設定温度を上げる。
【００２２】
次に、全発光モードの動作について説明する。運転開始時刻から予め決められた時間毎にリモコン装置１４がリモコン装置１４に内蔵された室温センサ５０で検知した室温をエアコン１２に送信する場合、リモコン装置１４は全発光モードに切り替える。例えば、運転開始時刻から１分毎に、リモコン制御部９６はリモコン装置１４の発光モードを全発光モードに切り替える。リモコン制御部９６は、室温センサ５０より室温データを取得する。リモコン制御部９６は、取得した室温データの赤外線信号を、赤外線発光部９０である赤外線発光ダイオード１９１、１９２の両方を同時に発光するように制御する。
【００２３】
以上より、本発明では、使用者がリモコン装置を操作した時に発光する赤外線発光ダイオードの個数を全ての赤外線発光ダイオードを発光させないで、１つにすることで従来よりも消費電力を抑えることができる。つまり、必要に応じて発光量の大小を切り替えることができるので、不要な電力の消費をなくすことができる。
【符号の説明】
【００２４】
１２  エアコン（空気調和機本体）
１４  リモコン装置
１６  表示部
１８  十字ボタン
２０  決定ボタン
２６  運転／停止ボタン
２８  温度ボタン
３０  風量ボタン
３２  お知らせボタン
３４  冷房ボタン
３６  暖房ボタン
３８  除湿ボタン
４０  送風ボタン
４４  操作部
５０  室温センサ
８０  ＬＥＤ表示部
８４  エアコン制御部
８６  赤外線受光部
８８  ＲＴＣ
９２  表示部
９４  操作部
９６  リモコン制御部
９８  ＲＴＣ
【図１】
2017063358.tif 000003
【図２】
2017063358.tif 000004
【図３】
2017063358.tif 000005
【図４】
2017063358.tif 000006